(57)【要約】【課題】  高い洗浄性能と衣類を傷めず洗い上げる効果（ケア効果）とを有し、更に再汚染防止性が向上した衣料用液体洗浄剤組成物を提供する。【解決手段】  （ａ）炭素数８〜１４のアルキル基を有する特定のポリオキシアルキレンアルキルエーテル、（ｂ）炭素数１６〜２０のアルキル基を有する特定のポリオキシアルキレンアルキルエーテル、及び（ｃ）特定の重合性不飽和カルボン酸又はその塩に由来する構成単位（ｃ１）と特定の重合性不飽和炭化水素に由来する構成単位（ｃ２）と含む共重合体を含有する衣料用液体洗浄剤組成物。【選択図】  なし【特許請求の範囲】
【請求項１】
（ａ）炭素数２〜３のアルキレンオキサイドの平均付加モル数が１０〜３０であり、アルキル基の炭素数が８〜１４であるポリオキシアルキレンアルキルエーテル、（ｂ）炭素数２〜３のアルキレンオキサイドの平均付加モル数が１０〜３０であり、アルキル基の炭素数が１６〜２０であるポリオキシアルキレンアルキルエーテル、及び（ｃ）下記一般式（ｃ１）で表される化合物（ｃ１）に由来する構成単位（ｃ１）と、下記一般式（ｃ２）で表される化合物（ｃ２）に由来する構成単位（ｃ２）とを含み、全構成単位中、構成単位（ｃ１）と構成単位（ｃ２）の合計が８０質量％以上である共重合体を含有する衣料用液体洗浄剤組成物。
【化１】
2006291069.tif 000007
〔式中、Ｒ1〜Ｒ4は、同一又は異なっていても良い水素原子、炭素数１〜３０のアルキル基、フェニル基、又はカルボキシ基もしくはその塩である。ただし、Ｒ1〜Ｒ4のうち、少なくとも１つはカルボキシ基又はその塩である。〕
【化２】
2006291069.tif 000008
〔式中、Ｒ5〜Ｒ8は、同一又は異なっていても良い水素原子、炭素数１〜３０のアルキル基、フェニル基、
【化３】
2006291069.tif 000009
−Ｏ−Ｒ9、−ＣＯＯ−Ｒ9、又は−ＯＣＯ−Ｒ9である。ただし、Ｒ5〜Ｒ8の全てが水素原子となることはない。Ｒ9は炭素数１〜３０のアルキル基又はフェニル基である。〕
【請求項２】
（ｄ）下記一般式（ｄ１）で表されるアミン又はその酸塩を含有する請求項１記載の衣料用液体洗浄剤組成物。
【化４】
2006291069.tif 000010
〔式中、Ｒ1dは炭素数１４〜２２のアルキル基又はアルケニル基であり、Ｒ2dは炭素数１〜５のアルキレン基であり、Ｘは−ＣＯＯ−、−ＣＯＮＲ5d−、−ＯＣＯ−、−ＮＲ5dＣＯ−から選ばれる基である。ここで、Ｒ5dは水素原子、又は炭素数１〜３のアルキル基もしくはヒドロキシアルキル基である。Ｒ3d、Ｒ4dは、同一又は異なっていても良い炭素数１〜３のアルキル基もしくはヒドロキシアルキル基、又はＲ1d−Ｘ−Ｒ2d−である。〕
【請求項３】
（ａ）成分を５〜５５質量％、（ｂ）成分を０．５〜５５質量％、（ｃ）成分を０．１〜１０質量％含有する請求項１又は２記載の衣料用液体洗浄剤組成物。
【請求項４】
（ａ）成分と（ｂ）成分の質量比が、（ａ）／（ｂ）＝９５／５〜５０／５０である請求項１〜３の何れか１項記載の衣料用液体洗浄剤組成物。
【請求項５】
界面活性剤を５〜６０質量％含有し、全界面活性剤中、（ａ）成分と（ｂ）成分の合計の質量比〔［（ａ）＋（ｂ）］／全界面活性剤〕が０．０５５〜０．５５である請求項１〜４の何れか１項記載の衣料用液体洗浄剤組成物。
【請求項６】
（ｃ）成分と（ｄ）成分の質量比が、（ｃ）／（ｄ）＝９９／１〜７０／３０である請求項２〜５の何れか１項記載の衣料用液体洗浄剤組成物。
【発明の詳細な説明】
【技術分野】
【０００１】
本発明は衣料用液体洗浄剤組成物に関する。
【背景技術】
【０００２】
近年、消費者の洗濯用の液体洗浄剤に関する期待としては、皮脂汚れに対する高い洗浄性能や衣類を傷めず洗い上げる（衣類等のケア効果）等の意識が高まっており、これらを両立させる事は液体洗浄剤の課題の一つである。
【０００３】
例えば、非イオン界面活性剤と、特定比率の陽イオン界面活性剤／陰イオン界面活性剤とを組み合わせることで、皮脂汚れに対し高い洗浄性能を有し、また柔軟化効果に優れた液体洗浄剤が提案されている（特許文献１）。また、非イオン界面活性剤と、洗濯時の衣類の絡まりを抑制させる剤としてのアミノ変性シリコーンとを組み合わせた液体洗浄剤の開発も行われている（特許文献２）。
【０００４】
したがって、皮脂汚れや固体粒子汚れに対する高い洗浄性能、汚れの再汚染防止と洗濯時の衣類傷みの抑制を両立する技術が求められていた。
【特許文献１】特開平１１−２１７５８５号公報
【特許文献２】特開２００２−２４９７９９号公報
【発明の開示】
【発明が解決しようとする課題】
【０００５】
しかしながら、特許文献１の界面活性剤の組み合わせでは、皮脂汚れや固体粒子の洗浄性能、及び汚れの再汚染防止性能については不充分であり、また洗濯・乾燥後の柔軟化効果は認知されるが、衣類を傷めず洗い上げる効果（洗濯時の衣類の絡まり抑制効果）は不充分であった。また、特許文献２の液体洗浄剤は、皮脂汚れに対する洗浄性能、柔軟化効果、洗濯時の衣類の絡まりを抑制させる効果は高いものの、固体粒子汚れ、及び汚れの再汚染防止性性能の向上効果は充分ではなかった。従って、液体洗浄剤において、皮脂汚れや固体粒子汚れに対する高い洗浄性能、汚れの再汚染防止性能、洗濯時の衣類傷みの抑制の全てを満足できる技術が求められていた。
【０００６】
本発明の課題は、高い洗浄性能、衣類を傷めず洗い上げる効果（ケア効果）を有し、更に再汚染防止性が向上した衣料用液体洗浄剤組成物を提供することにある。
【課題を解決するための手段】
【０００７】
本発明は、（ａ）炭素数２〜３のアルキレンオキサイドの平均付加モル数が１０〜３０であり、アルキル基の炭素数が８〜１４であるポリオキシアルキレンアルキルエーテル〔以下、（ａ）成分という〕、（ｂ）炭素数２〜３のアルキレンオキサイドの平均付加モル数が１０〜３０であり、アルキル基の炭素数が１６〜２０であるポリオキシアルキレンアルキルエーテル〔以下、（ｂ）成分という〕、及び（ｃ）下記一般式（ｃ１）で表される化合物（ｃ１）に由来する構成単位（ｃ１）と、下記一般式（ｃ２）で表される化合物（ｃ２）に由来する構成単位（ｃ２）とを含み、全構成単位中、構成単位（ｃ１）と構成単位（ｃ２）の合計が８０質量％以上である共重合体〔以下、（ｃ）成分という〕を含有する衣料用液体洗浄剤組成物に関する。
【０００８】
【化５】
2006291069.tif 000002
【０００９】
〔式中、Ｒ1〜Ｒ4は、同一又は異なっていても良い水素原子、炭素数１〜３０のアルキル基、フェニル基、又はカルボキシ基もしくはその塩である。ただし、Ｒ1〜Ｒ4のうち、少なくとも１つはカルボキシ基又はその塩である。〕
【００１０】
【化６】
2006291069.tif 000003
【００１１】
〔式中、Ｒ5〜Ｒ8は、同一又は異なっていても良い水素原子、炭素数１〜３０のアルキル基、フェニル基、
【００１２】
【化７】
2006291069.tif 000004
【００１３】
−Ｏ−Ｒ9、−ＣＯＯ−Ｒ9、又は−ＯＣＯ−Ｒ9である。ただし、Ｒ5〜Ｒ8の全てが水素原子となることはない。Ｒ9は炭素数１〜３０のアルキル基又はフェニル基である。〕
【発明の効果】
【００１４】
本発明によれば、洗浄性能、衣類を傷めず洗い上げる効果（ケア効果）及び再汚染防止性に優れた衣料用液体洗浄剤組成物が提供される。
【発明を実施するための最良の形態】
【００１５】
＜（ａ）成分＞
本発明の（ａ）成分は、炭素数２〜３のアルキレンオキサイド（以下、ＡＯと表記する）の平均付加モル数が１０〜３０であり、アルキル基の炭素数が８〜１４であるポリオキシアルキレンアルキルエーテルである。ＡＯはエチレンオキサイド（以下、ＥＯと表記する）とプロピレンオキサイド（以下、ＰＯと表記する）であり、ＥＯを含むことが好ましい。ＥＯとＰＯの両方を含む場合、ランダム付加でも、ブロック付加でも何れでもよい。ＡＯの平均付加モル数は１０〜２２が好ましい。（ａ）成分のアルキル基は直鎖でも分岐鎖でもよく、また１級、２級、３級の何れでもよい。なお、（ａ）成分は、炭素数２〜３のＡＯ以外のＡＯを含むこともできるが、炭素数２〜３のＡＯが全ＡＯ中８０〜１００モル％、更に９０〜１００モル％であることが好ましい。
【００１６】
＜（ｂ）成分＞
本発明の（ｂ）成分は、炭素数２〜３のＡＯの平均付加モル数が１０〜３０であり、アルキル基の炭素数が１６〜２０であるポリオキシアルキレンアルキルエーテルである。ＡＯはＥＯとＰＯであり、ＥＯを含むことが好ましい。ＥＯとＰＯの両方を含む場合、ランダム付加でも、ブロック付加でも何れでもよい。ＡＯの平均付加モル数は１〜２０、特に１〜１５が好ましい。（ｂ）成分のアルキル基は直鎖でも分岐鎖でもよく、また１級、２級、３級の何れでもよい。
【００１７】
＜（ｃ）成分＞
本発明の（ｃ）成分は、上記一般式（ｃ１）で表される化合物（ｃ１）に由来する構成単位（ｃ１）と、上記一般式（ｃ２）で表される化合物（ｃ２）に由来する構成単位（ｃ２）とを含み、全構成単位中、構成単位（ｃ１）と構成単位（ｃ２）の合計が８０質量％以上、好ましくは９０質量％以上である共重合体である。該共重合体は、重合性不飽和カルボン酸又はその塩である化合物（ｃ１）と重合性不飽和炭化水素である化合物（ｃ２）との共重合体である。（ｃ）成分は、重合性不飽和カルボン酸を用い、共重合後に一部又は全部を中和して塩としたものでもよい。また、化合物（ｃ１）が複数のカルボキシ基を有する場合、無水物となっていてもよい。構成単位（ｃ１）、構成単位（ｃ２）は、共重合時に対応する化合物により導入されたものでも、共重合体に後から導入されたものでも、いずれでもよい。
【００１８】
（ｃ）成分の製造には、化合物（ｃ１）、化合物（ｃ２）以外の単量体を用いることもできるが、全単量体中、化合物（ｃ１）と化合物（ｃ２）の合計が８０質量％以上であり、９０質量％以上であることが好ましい。また、構成単位（ｃ１）と構成単位（ｃ２）のモル比は、（ｃ１）／（ｃ２）＝１０／９０〜９０／１０、更に２０／８０〜８０／２０であることが好ましく、製造時の化合物（ｃ１）と化合物（ｃ２）のモル比もこの範囲とすることが好ましい。
【００１９】
化合物（ｃ１）は、カルボキシ基又はその塩を有するビニルモノマーである。該モノマーとしては例えば、（メタ）アクリル酸［（メタ）アクリル酸は、アクリル酸、メタクリル酸又はそれらの混合物のことをいう］及びその塩類、スチレンカルボン酸及びその塩類、マレイン酸系モノマー［無水マレイン酸、マレイン酸、マレイン酸モノエステル、並びにマレイン酸モノアミド又はそれらの２種類以上からなる混合物のことをいう］及びその塩類並びにイタコン酸及びその塩類等であり、これらから選ばれる１種以上を用いることができる。
【００２０】
また、化合物（ｃ２）としては、下記モノマー群（ｃ２−１）〜（ｃ２−６）から選ばれるモノマーが好ましく挙げられる。
【００２１】
（ｃ２−１）炭素数１〜２２の無置換もしくは置換の、飽和もしくは不飽和アルキル基またはアラルキル基を有するビニルエーテル類。例えば、メチルビニルエーテル、エチルビニルエーテル、4-ヒドロキシブチルビニルエーテル、フェニルビニルエーテル、ラウリルビニルエーテル、ミリスチルビニルエーテル、パルミチルビニルエーテル、ステアリルビニルエーテル等が挙げられる。
【００２２】
（ｃ２−２）炭素数１〜７の無置換もしくは置換の、飽和もしくは不飽和アルキル基またはアラルキル基を有する（メタ）アクリル酸エステル類。例えば、（メタ）アクリル酸メチル、（メタ）アクリル酸エチル、（メタ）アクリル酸２−ヒドロキシエチル等が挙げられる。
【００２３】
（ｃ２−３）スチレン類。例えば、スチレン、４−エチルスチレン、α―メチルスチレン等が好ましい。
【００２４】
（ｃ２−４）ビニルエステル類。例えば、酢酸ビニル、カプロン酸ビニル等が好ましい。
【００２５】
（ｃ２−５）炭素数８〜３０、好ましくは炭素数１２〜２２の飽和もしくは不飽和アルキル基またはアラルキル基を有する（メタ）アクリル酸エステル。例えば、（メタ）アクリル酸デシル、（メタ）アクリル酸ラウリル、（メタ）アクリル酸ミリスチル、（メタ）アクリル酸セチル、（メタ）アクリル酸ステアリル、（メタ）アクリル酸ベヘニル等が挙げられる。
【００２６】
（ｃ２−６）ブテン、ヘキセン、ペンテン、オクテン、ノネン、デセン、ドデセン等の炭素数３〜３０のアルケン類が挙げられる。
【００２７】
化合物（ｃ２）としては、スチレン、４−エチルスチレン、α―メチルスチレンが好ましい。
【００２８】
（ｃ）成分は、化合物（ｃ１）、化合物（ｃ２）以外の単量体に由来する構成単位を含むことができる。その他の単量体としては、以下のものが挙げられる。
【００２９】
（ｘ１）スルホン酸基又はその塩を有するビニルモノマー。該モノマーとしては例えば、２−（メタ）アクリロイルオキシエタンスルホン酸、２−（メタ）アクリロイルオキシプロパンスルホン酸、２−（メタ）アクリルアミド−２−アルキル（炭素数１〜４）プロパンスルホン酸、ビニルスルホン酸、スチレンスルホン酸等のスルホン酸モノマー等が挙げられ、これらから選ばれる１種以上を用いることができる。
【００３０】
（ｘ２）リン酸基もしくはホスホン酸基又はその塩を有するビニルモノマー。該モノマーとしては例えば、（メタ）アクリロイルオキシアルキル（炭素数１〜４）リン酸、ビニルホスホン酸等が挙げられる。
【００３１】
（ｘ３）無置換、あるいは窒素上に炭素数１〜１２の飽和もしくは不飽和のアルキル基またはアラルキル基を有する置換（メタ）アクリルアミド類。例えば、（メタ）アクリルアミド、Ｎ-メチル（メタ）アクリルアミド、Ｎ，Ｎ−ジメチル（メタ）アクリルアミド、Ｎ-エチル（メタ）アクリルアミド、Ｎ-t-ブチル（メタ）アクリルアミド、（メタ）アクリロイルモルホリン、２−（Ｎ，Ｎ−ジメチルアミノ）エチル（メタ）アクリルアミド、３−（Ｎ，Ｎ−ジメチルアミノ）プロピル（メタ）アクリルアミド、２−ヒドロキシエチル（メタ）アクリルアミド、N-メチロール（メタ）アクリルアミド、N-ブトキシメチル（メタ）アクリルアミド等が好ましい。
【００３２】
（ｘ４）Ｎ−ビニル脂肪族アミド類。例えば、Ｎ−ビニルピロリドン、Ｎ−ビニルアセトアミド、Ｎ−ビニルホルムアミド等が好ましい。
【００３３】
（ｘ５）アルキレンオキサイド類。例えばエチレンオキサイド、プロピレンオキサイド等が好ましい。
【００３４】
（ｘ６）環状イミノエーテル類。例えば２−メチル−２−オキサゾリン、２−フェニル−２−オキサゾリン等が好ましい。
【００３５】
（ｘ７）Ｎ−メチルバレロラクタム類のような、ポリアミド類の製造に用いられる単量体。
【００３６】
（ｘ８）ポリエチレングリコール、ヘキサメチレンジイソシアナート、及びＮ−メチル−ジエタノールアミンまたは１，４−ブタンジオール等、ポリウレタンのような重付加物の製造に用いられる単量体。
【００３７】
（ｘ９）窒素に結合した飽和もしくは不飽和の炭素数８〜３０、好ましくは炭素数１２〜２２のアルキル基またはアラルキル基を、１又は２有する置換（メタ）アクリルアミド。例えば、Ｎ-ラウリル（メタ）アクリルアミド、Ｎ-ジオクチル（メタ）アクリルアミド等が挙げられる。
【００３８】
（ｘ１０）２価アルコールと２価カルボン酸とから成るポリエステル類の製造に用いられる単量体。例えば、ポリエチレングリコールとテレフタル酸、あるいは１，４−ブタンジオールとコハク酸等が挙げられる。
【００３９】
これら化合物（ｃ１）やその他の単量体の塩類としては、アルカリ金属、アルカリ土類金属、アンモニウム、総炭素数１〜２２のアルキルもしくはアルケニルアンモニウム、炭素数１〜２２のアルキル若しくはアルケニル置換ピリジニウム、総炭素数１〜２２のアルカノールアンモニウム、又は塩基性アミノ酸等が挙げられ、ナトリウム、カリウムの様なアルカリ金属塩が好ましい。
【００４０】
（ｃ）成分の分子量は、重量平均分子量で３０００〜８００万、更に３０００〜１００万が好ましい。この重量平均分子量は、ゲル・パーミエーション・クロマトグラフィー（ＧＰＣ）を用いて測定し、ポリエチレングリコール（ＰＥＧ）換算で平均分子量を決定したものである。
【００４１】
本発明の衣料用液体洗浄剤組成物は、（ａ）成分を５〜５５質量％、更に５〜４０質量％、更に１０〜２０質量％含有することが洗浄性能の点で好ましい。また、（ｂ）成分を０．５〜５５質量％、更に０．５〜１０質量％、更に０．５〜７．５質量％、更に０．５〜５質量％含有することが衣類ケア効果と配合安定性の点で好ましい。また、（ｃ）成分を０．１〜１０質量％、更に０．１〜７．５質量％、更に０．１〜５質量％含有することが再汚染防止性の点で好ましい。
【００４２】
本発明の衣料用液体洗浄剤組成物における界面活性剤の含有量は、５．５〜６５質量％、更に７〜４０質量％であることが好ましい。そして、全界面活性剤中、（ａ）成分と（ｂ）成分の合計の質量比〔［（ａ）＋（ｂ）］／全界面活性剤〕が０．０５５〜０．５５、更に０．０７〜０．３であることが好ましい。
【００４３】
また、本発明の衣料用液体洗浄剤組成物においては、（ａ）成分と（ｂ）成分の質量比が、（ａ）／（ｂ）＝９５／５〜５０／５０、更に９３／７〜８０／２０であることが、洗浄性能、衣類ケア効果の点で好ましい。
【００４４】
本発明の衣料用液体洗浄剤組成物は、（ｄ）下記一般式（ｄ１）で表されるアミン又はその酸塩〔以下、（ｄ）成分という〕を含有することが化繊の摩擦低減、褪色防止、柔軟化の点で好ましい。
【００４５】
【化８】
2006291069.tif 000005
【００４６】
〔式中、Ｒ1dは炭素数１４〜２２のアルキル基又はアルケニル基であり、Ｒ2dは炭素数１〜５のアルキレン基であり、Ｘは−ＣＯＯ−、−ＣＯＮＲ5d−、−ＯＣＯ−、−ＮＲ5dＣＯ−から選ばれる基である。ここで、Ｒ5dは水素原子、又は炭素数１〜３のアルキル基もしくはヒドロキシアルキル基である。Ｒ3d、Ｒ4dは、同一又は異なっていても良い炭素数１〜３のアルキル基もしくはヒドロキシアルキル基、又はＲ1d−Ｘ−Ｒ2d−である。〕
【００４７】
組成物中の（ｄ）成分の含有量は、０．１〜５質量％、更に０．１〜２質量％が好ましい。（ｄ）成分の具体例としては、ラウリルアミドプロピルジメチルアミン、ミリスチルアミドプロピルジメチルアミン、パルミチルアミドプロピルジメチルアミン、ステアリルアミドプロピルジメチルアミン、ベヘニルアミドプロピルジメチルアミン、オレイルアミドプロピルジメチルアミン、パルミチルアミドプロピルジエタノールアミン、ステアリルアミドプロピルジエタノールアミン等の脂肪族アミドアルキル三級アミン及びそれらの塩、パルミテートエステルプロピルジメチルアミン、ステアレートエステルプロピルジメチルアミン等の脂肪族エステルアルキル三級アミン及びそれらの塩等が挙げられ、これらの中でもミリスチルアミドプロピルジメチルアミン、パルミチルアミドプロピルジメチルアミン、ステアリルアミドプロピルジメチルアミン、ベヘニルアミドプロピルジメチルアミン、オレイルアミドプロピルジメチルアミン、及びこれらの塩が好ましく、特にはステアリルアミドプロピルジメチルアミン及びその塩が好ましい。
【００４８】
また、本発明の衣料用液体洗浄剤組成物においては、（ｃ）成分と（ｄ）成分の質量比が、（ｃ）／（ｄ）＝９９／１〜３０／７０、更に８０／２０〜４０／６０であることが、再汚染防止性、柔軟性の点で好ましい。
【００４９】
本発明の衣料用液体洗浄剤組成物には、他の界面活性剤、例えば陰イオン界面活性剤、両性界面活性剤、陽イオン界面活性剤、その他の非イオン界面活性剤等を配合することができる。
【００５０】
本発明に使用できる陰イオン界面活性剤としては、下記（Ｉ）〜（IV）等が挙げられる。組成物の陰イオン界面活性剤の含有量は０〜２０質量％、特に５〜１５質量％が好ましい。
【００５１】
（Ｉ）平均炭素数１０〜２０のアルキル基又はアルケニル基を有するアルキル（又はアルケニル）ベンゼンスルホン酸塩
（II）平均炭素数１０〜２０のアルキル基又はアルケニル基を有するアルコール１モルに対し、平均０．５〜６モルのＥＯを付加したポリオキシエチレンアルキル（又はアルケニル）エーテル硫酸塩
（III）平均炭素数１０〜２０のアルキル基又はアルケニル基を有するアルキル（又はアルケニル）硫酸塩
（IV）平均炭素数８〜２０の脂肪酸塩
【００５２】
また、これらの陰イオン界面活性剤の対イオンとしては、ナトリウム、カリウム等のアルカリ金属、マグネシウム等のアルカリ土類金属、モノ、ジ、トリエタノールアミン等のアルカノールアミン、アンモニウム等が使用でき、特にナトリウム、カリウム、モノエタノールアミンが好ましい。
【００５３】
また、液の安定性及び泥汚れ洗浄性の点で、両性界面活性剤を配合してもよい。両性界面活性剤としてアルキルカルボベタイン、アルキルスルホベタイン、アルキルアミドヒドロキシスルホベタイン、アルキルアミドアミン型ベタイン及びアルキルイミダゾリン型ベタインなどが配合できる。組成物中の両性界面活性剤の含有量は０〜５質量％が好ましい。
【００５４】
また、陽イオン界面活性剤としては、モノ長鎖アルキル（炭素数８〜２２が好ましい。）第４級アンモニウム塩が挙げられる。具体例としては、ラウリルトリメチルアンモニウムクロライド、ミリスチルトリメチルアンモニウムクロライド、椰子アルキルトリメチルアンモニウムクロライド、セチルトリメチルアンモニウムクロライド、牛脂アルキルトリメチルアンモニウムクロライド、ステアリルトリメチルアンモニウムクロライド、ステアリルジメチルベンジルアンモニウムクロライド、ステアリルジヒドロキシエチルメチルアンモニウムクロライド、Ｎ−ラウロイルアミドプロピル−Ｎ’−トリメチルアンモニウムクロライド、Ｎ−ミリストイルアミドプロピル−Ｎ’−トリメチルアンモニウムクロライド、ジステアリルジメチルアンモニウムクロライド、ジミリスチルジメチルアンモニウムクロライド、ジオクチルジメチルアンモニウムクロライド、ジデシルジメチルアンモニウムクロライド、ジラウリルジメチルアンモニウムクロライドなどが挙げられる。本発明においては、これらの中でも、牛脂アルキルトリメチルアンモニウムクロライドやステアリルトリメチルアンモニウムクロライド、ジステアリルジメチルアンモニウムクロライド、ジミリスチルジメチルアンモニウムクロライドが好ましい。また、長鎖アルキル基の組成が炭素数１６と１８の混合組成である第４級アンモニウム塩も好ましい。
【００５５】
その他の非イオン界面活性剤として、次の一般式で表されるアルキル多糖界面活性剤、脂肪酸アルカノールアミド、ポリヒドロキシ脂肪酸アミド等が挙げられ、これら他の非イオン界面活性剤の組成物中の含有量は、０〜５質量％が好ましい。
【００５６】
Ｒ10−(ＯＲ11)iＧj
〔式中、Ｒ10は直鎖又は分岐鎖の炭素数８〜１８のアルキル基、アルケニル基、又はアルキルフェニル基、Ｒ11は炭素数２〜４のアルキレン基、Ｇは炭素数５又は６の還元糖に由来する残基、ｉは平均値０〜６の数、ｊは平均値１〜１０の数を示す。〕
【００５７】
更に本発明の衣料用液体洗浄剤組成物には、次の成分を、それぞれ次の範囲で配合することができる。
【００５８】
（ｉ）アルカリ金属の水酸化物、ケイ酸塩、炭酸ナトリウム等の炭酸塩、及び、２−アミノエタノール、Ｎ−メチルエタノールアミン、Ｎ，Ｎ−ジメチルエタノールアミン、Ｎ，Ｎ−ジエチルエタノールアミン、ジエタノールアミン、Ｎ−メチルジエタノールアミン、Ｎ−ブチルジエタノールアミン、トリエタノールアミン、トリイソプロパノールアミン、イソプロパノールアミン混合物（モノ，ジ，トリの混合物）等のアルカノールアミン、等のアルカリ剤０．０１〜１０質量％
【００５９】
（ii）（ii-1）エタノール、１−プロパノール、２−プロパノール、１−ブタノールなどのアルカノール類、（ii-2）プロピレングリコール、ブチレングリコール、ヘキシレングリコールなどのグリコール類、（ii-3）ジエチレングリコール、トリエチレングリコール、テトラエチレングリコール、平均分子量約２００のポリエチレングリコール、平均分子量約４００のポリエチレングリコール、ジプロピレングリコール、トリプロピレングリコール、平均分子量約２０００のポリプロピレングリコールなどのポリグリコール類、（ii-4）ジエチレングリコールモノメチルエーテル、ジエチレングリコールジメチルエーテル、トリエチレングリコールモノメチルエーテル、ジエチレングリコールモノエチルエーテル、ジエチレングリコールジエチルエーテル、ジプロピレングリコールモノメチルエーテル、ジプロピレングリコールモノエチルエーテル、トリプロピレングリコールモノメチルエーテル、１−メトキシ−２−プロパノール、１−エトキシ−２−プロパノール、１−メチルグリセリンエーテル、２−メチルグリセリンエーテル、１，３−ジメチルグリセリンエーテル、１−エチルグリセリンエーテル、１，３−ジエチルグリセリンエーテル、トリエチルグリセリンエーテル、１−ペンチルグリセリルエーテル、２−ペンチルグリセリルエーテル、１−オクチルグリセリルエーテル、２−エチルヘキシルグリセリルエーテル、ジエチレングリコールモノブチルエーテルなどのアルキルエーテル類、（ii-5）２−フェノキシエタノール、ジエチレングリコールモノフェニルエーテル、トリエチレングリコールモノフェニルエーテル、平均分子量約４８０のポリエチレングリコールモノフェニルエーテル、２−ベンジルオキシエタノール、ジエチレングリコールモノベンジルエーテル、ポリオキシアルキレンベンジルエーテル、ポリオキシアルキレンフェニルエーテル等の芳香族エーテル類、等の水混和性有機溶剤０．１〜１５質量％。これらは、減粘剤、可溶化剤、相調整剤、洗浄力向上剤等としての機能も有する。
【００６０】
（iii）パラトルエンスルホン酸、安息香酸塩（防腐剤としての効果もある）、並びに尿素等の減粘剤及び可溶化剤０．０１〜３０質量％
【００６１】
（iv）ニトリロ三酢酸、エチレンジアミン四酢酸塩、イミノ二酢酸塩、ジエチレントリアミン五酢酸塩、グリコールエーテルジアミン四酢酸塩、ヒドロキシエチルイミノ二酢酸塩及びトリエチレンテトラミン六酢酸塩等のアミノポリ酢酸塩、マロン酸、コハク酸、リンゴ酸、ジグリコール酸、酒石酸及びクエン酸等の金属イオン捕捉剤０．１〜２０質量％
【００６２】
（ｖ）ポリアクリル酸、ポリマレイン酸、カルボキシメチルセルロース、重量平均分子量５０００以上のポリエチレングリコール、ナフタレンスルホン酸塩ホルマリン縮合物、及び特開昭５９−６２６１４号公報の請求項１〜２１（１頁３欄５行〜３頁４欄１４行）記載のポリマー等の再汚染防止剤及び分散剤０．０１〜１０質量％
【００６３】
（vi）ポリビニルピロリドン等の色移り防止剤０．０１〜１０質量％
【００６４】
（vii）過炭酸ナトリウムまたは過硼酸ナトリウム等の漂白剤０．０１〜１０質量％
【００６５】
（viii）テトラアセチルエチレンジアミン、特開平６−３１６７００号の一般式（Ｉ−２）〜（Ｉ−７）で表される漂白活性化剤等の漂白活性化剤０．０１〜１０質量％
【００６６】
（ix）アミラーゼ、プロテアーゼ、リパーゼ及びセルラーゼ等の酵素０．００１〜２質量％
【００６７】
（ｘ）塩化カルシウム、硫酸カルシウム、ギ酸、ホウ酸（ホウ素化合物）等の酵素安定化剤０．００１〜２質量％
【００６８】
（xi）チノパールＣＢＳ（チバスペシャリティケミカルズ製）やホワイテックスＳＡ（住友化学社製）等の蛍光染料０．００１〜１質量％
【００６９】
（xii）シリカ、（ｃ）成分以外のシリコーン等の消泡剤０．０１〜２質量％
【００７０】
（xiii）ブチルヒドロキシトルエン、ジスチレン化クレゾール、亜硫酸ナトリウム及び亜硫酸水素ナトリウム等の酸化防止剤０．０１〜２質量％
【００７１】
（xiv）青味付け剤
【００７２】
（xv）香料
【００７３】
（xvi）抗菌防腐剤
【００７４】
本発明の衣料用液体洗浄剤組成物は、上記（ａ）〜（ｃ）成分及び任意成分と、残部の水とからなるが、２０℃におけるｐＨが６〜１１、更に７〜９．５の液体組成物であることが好ましい。
【００７５】
また、本発明の衣料用液体洗浄剤組成物の２０℃における粘度は５０〜５００ｍＰａ・ｓ、更に７５〜３００ｍＰａ・ｓ、特に１００〜２５０ｍＰａ・ｓが好ましい。
【実施例】
【００７６】
表１に示す液体洗浄剤組成物を調製し、得られた組成物を用いて下記の洗浄力、再汚染防止性、及び布帛ケア効果についての評価を行った。その結果を表１に示す。
【００７７】
（１）洗浄力評価
（襟あか布の調製）
ＪＩＳ Ｋ３３６２：１９９８ 記載の襟あか布を調製する。
（洗浄条件及び評価方法）
ＪＩＳ Ｋ ３３６２：１９９８記載の衣料用合成洗剤の洗浄力評価方法に準じ、表１の液体洗浄剤組成物と洗浄力判定用指標洗剤の洗浄力を比較した。表１の液体洗浄剤組成物の使用濃度を１．３３ｇ／Ｌとした。
洗浄力の判定は、指標洗剤より勝る場合を「◎」、指標洗剤と同等の場合を「○」、指標洗剤より劣る場合を「×」とした。
【００７８】
（２）再汚染防止性
木綿の白布（金巾２００３布）を１０ｃｍ×１０ｃｍに裁断し、５枚１組とした。評価用洗剤水溶液１リットルに園芸用鹿沼赤土を加え、ターゴトメーターにて次の条件で試験を行なった。
＜実験条件＞
洗浄時間：１０分
洗浄剤濃度：０．０８質量％
水の硬度：４°ＤＨ
水の温度：２０℃
濯ぎ：２０℃水道水にて５分間流水濯ぎ
【００７９】
再汚染防止能は、洗浄前の原布（白布）及び試験後の汚染布の４６０ｎｍにおける反射率を自記色彩計（島津製作所製）にて測定し、次式によって再汚染防止率を求めた。
再汚染防止率（％）＝（試験後の反射率／原布の反射率）×１００
再汚染防止性の判定は、指標洗剤より勝る場合を「◎」、指標洗剤と同等の場合を「○」、指標洗剤より劣る場合を「×」とした。
【００８０】
（３）布帛ケア効果（ＭＡ試験布）
（3-1）前処理布の調整
全自動洗濯機（東芝、AW-D802VP）を準備し、洗濯水量を45Lに設定し、これに合計2木綿Ｔシャツ１０枚（約２．２ｋｇ）を入れた。更にコンパクト型粉末洗剤（アタック、花王（株））を標準使用量に従い投入し、洗濯8分、脱水3分、ため濯ぎ2回、脱水3分行ない、乾燥機で乾燥させた。この洗濯サイクルを5回繰り返し、前処理布とした。
【００８１】
（3-2）布帛ケア試験（ＭＡ試験布）
上記前処理布のＴシャツの内、４枚の胸の部分にＴｅｓｔｆａｂｒｉｃｓ，Ｉｎｃ．社製のＭＡ（Ｍａｃｈｉｎｅ  Ａｃｔｉｏｎ）試験布をミシンで縫いつけた。ＭＡ試験布は、Ｆｒａｎｔｓ  Ｓｚａｒａｓ；“Ｔｈｅ  ｍｅｃｈａｎｉｃａｌ  ａｃｔｉｏｎ  ｉｎ  ｗａｓｈｉｎｇ  ｍａｃｈｉｎｅｓ．ＭＡ−ｔｅｓｔ  ｐｉｅｃｅｓ  ｉｎｓｔｒｕｃｔｉｏｎ  ａｎｄ  ａｐｐｌｉｃａｔｉｏｎ．”（１９８２）による。
【００８２】
全自動洗濯機（東芝、AW-D802VP）を準備し、洗濯水量を45Lに設定し、上記ＭＡ試験布を縫い付けたＴシャツを含む木綿Ｔシャツを計１０枚（約２．２ｋｇ）を入れた。洗濯機に表１の洗浄剤組成物３７．５ｍLを投入し、洗濯8分、脱水3分、ため濯ぎ2回、脱水6分の洗濯工程を行ない、乾燥せずにTシャツからＭＡ試験布を取り外し、ほつれた糸の本数を測定した。
【００８３】
（3-3）布帛ケア評価判定基準
判定は4枚のＭＡ試験布のほつれた糸の平均値を求め、比較例１で洗浄したＭＡ試験布のほつれた糸の本数の平均値と比較を行ない、以下に示す基準で採点した。
◎：比較例１に比べほつれた糸の本数がかなり少ない（差が15本／枚以内）
○：比較例１に比べほつれた糸の本数が少ない
△：比較例１と比べほつれた糸の本数がほぼ同じ
×：比較例１と比べほつれた糸の本数が多い
【００８４】
【表１】
2006291069.tif 000006
【００８５】
表中の成分は以下のものである。また、水酸化ナトリウムの「調整量」とは、組成物のｐＨ（２０℃）を６〜１１とする量である。
・非イオン界面活性剤ａ１：炭素数１２のアルキル基を有する直鎖１級アルコールにＥＯを平均１３モル付加させたもの
・非イオン界面活性剤ａ２：炭素数１２、１３、１４のアルキル基が混在（炭素数１２のアルキル基／炭素数１３のアルキル基／炭素数１４のアルキル基＝２０／５０／３０、質量比）する直鎖２級アルコールにＥＯを平均７モル付加させたもの
・非イオン界面活性剤ａ３：炭素数１２のアルキル基を有する直鎖第１級アルコールにＥＯを平均８モル、ＰＯを平均２モル、ランダム付加させたもの
・非イオン界面活性剤ｂ１：炭素数１８のアルキル基を有する直鎖１級アルコールにＥＯを平均６モル付加させたもの
・非イオン界面活性剤ｂ２：炭素数１６と１８のアルキル基が混在（炭素数１６のアルキル基／炭素数１８のアルキル基＝７０／３０、質量比）する直鎖１級アルコールにＥＯを平均７モル付加させたもの
・非イオン界面活性剤ｂ３：炭素数１８のアルケニル基が９０質量％以上含まれる直鎖１級アルコールにＥＯを平均９モル付加させたもの
・共重合体ｃ１：無水マレイン酸−ジイソブチレン共重合体（無水マレイン酸／ジイソブチレン＝５０／５０、モル比、重量平均分子量５０００）
・共重合体ｃ２：アミレン−無水マレイン酸共重合体ナトリウム塩（アミレン／無水マレイン酸＝５０／５０、モル比、重量平均分子量１５０００）
・ポリアクリル酸：重量平均分子量１００００、ナトリウム塩
・アミン１：ステアリルアミドプロピルジメチルアミン
・陽イオン界面活性剤１：モノ長鎖アルキルトリメチルアンモニウムクロライド、長鎖アルキル基は、炭素数１６と１８のアルキル基が混在（炭素数１６のアルキル基／炭素数１８のアルキル基＝７０／３０、質量比）する。
・陽イオン界面活性剤２：ジ長鎖アルキルジメチルアンモニウムクロライド、長鎖アルキル基は、何れも、炭素数１６と１８の混合アルキル基（炭素数１６のアルキル基／炭素数１８のアルキル基＝７０／３０、質量比）
・陰イオン界面活性剤１：炭素数１０〜１４の直鎖アルキル基を有するアルキルベンゼンスルホン酸
・陰イオン界面活性剤２：ポリオキシエチレンアルキルエーテル硫酸ナトリウムエステル（ＥＯ平均付加モル数２．５、アルキル基の炭素数１２）
・陰イオン界面活性剤３：炭素数１２〜１４のアルキル基を有するヤシ油系脂肪酸
・酵素：デュライザイム１６．０Ｌ（プロテアーゼ、ノボザイム社）
・蛍光染料：チノパールＣＢＳ−Ｘ（日本チバガイギー株式会社製）